(57)【要約】【課題】基地局装置の利用効率を向上させること。【解決手段】基地局装置と、前記基地局装置と通信を行う無線信号処理装置とを備える無線通信システムにおける無線通信方法であって、無線通信に必要なパラメータとして、少なくとも利用する無線方式を指定する情報を含む無線制御情報をパケットに付与する無線制御情報付与ステップと、パケットに付与された無線制御情報で指定された無線方式で、無線制御情報が取り除かれたパケットを送信する送信ステップと、を有する無線通信方法。【選択図】図１
2019186865.tif 000002
【特許請求の範囲】
【請求項１】
基地局装置と、前記基地局装置と通信を行う無線信号処理装置とを備える無線通信システムにおける無線通信方法であって、
無線通信に必要なパラメータとして、少なくとも利用する無線方式を指定する情報を含む無線制御情報をパケットに付与する無線制御情報付与ステップと、
前記パケットに付与された前記無線制御情報で指定された前記無線方式で、前記無線制御情報が取り除かれた前記パケットを送信する送信ステップと、
を有する無線通信方法。
【請求項２】
前記パラメータには、無線通信で利用することが指定された無線周波数の値と、帯域の値と、送信ゲインの値とが含まれ、
前記無線周波数の値と、前記帯域の値と、前記送信ゲインの値とを前記基地局装置に設定する設定ステップをさらに有し、
前記基地局装置が、前記無線方式の他に、設定された前記無線周波数、前記帯域及び前記送信ゲインで、前記無線制御情報が取り除かれた前記パケットを送信する、請求項１に記載の無線通信方法。
【請求項３】
１台の前記無線信号処理装置が、複数の無線方式を処理可能な場合、
前記無線信号処理装置は、前記無線制御情報付与ステップにおいて前記無線制御情報が付与されたパケットに基づいて、前記複数の無線方式の中から前記無線通信に利用する無線方式を選択する第１選択ステップをさらに有し、
前記無線信号処理装置は、前記第１選択ステップにおいて選択した前記無線方式を用いて前記無線制御情報が付与されたパケットを処理し、処理後のパケットを前記基地局装置に送信する、請求項１又は２に記載の無線通信方法。
【請求項４】
１台の前記無線信号処理装置が、１つの無線方式を処理可能な場合、
前記無線制御情報付与ステップにおいて前記無線制御情報が付与されたパケットに基づいて、前記無線制御情報が付与されたパケットを処理可能な無線信号処理装置を選択する第２選択ステップをさらに有し、
前記第２選択ステップにおいて選択された前記無線信号処理装置に対して前記無線制御情報が付与されたパケットを送信し、
前記無線信号処理装置は、利用可能な無線方式を用いて前記無線制御情報が付与されたパケットを処理し、処理後のパケットを前記基地局装置に送信する、請求項１又は２に記載の無線通信方法。
【請求項５】
基地局装置と、前記基地局装置と通信を行う無線信号処理装置とを備える無線通信システムであって、
無線通信に必要なパラメータとして、少なくとも利用する無線方式を指定する情報を含む無線制御情報をパケットに付与する無線制御情報付与部と、
前記パケットに付与された前記無線制御情報で指定された前記無線方式で、前記無線制御情報が取り除かれた前記パケットを送信する送信部と、
を備える無線通信システム。
【請求項６】
前記パラメータには、無線通信で利用することが指定された無線周波数の値と、帯域の値と、送信ゲインの値とが含まれ、
前記無線周波数の値と、前記帯域の値と、前記送信ゲインの値とを前記送信部に設定する設定部をさらに備え、
前記送信部は、前記無線方式の他に、設定された前記無線周波数、前記帯域及び前記送信ゲインで、前記無線制御情報が取り除かれた前記パケットを送信する、請求項５に記載の無線通信システム。
【請求項７】
基地局装置と、前記基地局装置と通信を行う無線信号処理装置とを備える無線通信システムにおける基地局装置であって、
無線通信に必要なパラメータとして、少なくとも利用する無線方式を指定する情報を含む無線制御情報が付与されたパケットを受信する受信部と、
受信された前記パケットに付与された前記無線制御情報で指定された前記無線方式で、前記無線制御情報が取り除かれた前記パケットを送信する送信部と、
を備える基地局装置。
【請求項８】
前記パラメータには、無線通信で利用することが指定された無線周波数の値と、帯域の値と、送信ゲインの値とが含まれ、
前記無線周波数の値と、前記帯域の値と、前記送信ゲインの値とを前記送信部に設定する設定部をさらに備え、
前記送信部は、前記無線方式の他に、設定された前記無線周波数、前記帯域及び前記送信ゲインで、前記無線制御情報が取り除かれた前記パケットを送信する、請求項７に記載の基地局装置。
【発明の詳細な説明】
【技術分野】
【０００１】
本発明は、無線通信方法、無線通信システム及び基地局装置に関する。
【背景技術】
【０００２】
無線信号処理を実行する装置である無線信号処理装置と、基地局装置を含む無線通信装置と、多種多様な要件を持つＩｏＴ（Internet of Things）デバイス等の無線端末とを備える無線通信システムがある。各無線端末は、自端末の要件に適した無線方式で、無線通信装置と通信する。無線信号処理装置及び無線通信装置のうちの少なくとも一方は、ソフトウェアによる無線信号処理を実行する（例えば、非特許文献１参照）。
【０００３】
無線通信装置は、無線端末の無線方式に対応しているソフトウェアが無線通信装置にダウンロードされているか否かを判定する。ソフトウェアが無線通信装置にダウンロードされている場合、無線通信装置が無線信号処理を実行する。ソフトウェアが無線通信装置にダウンロードされていない場合、無線通信装置の代わりに、無線信号処理装置が無線信号処理を実行する。
【０００４】
このように、無線通信装置は、無線信号処理装置及び無線通信装置のうちで無線信号処理を実行する装置を、要求される遅延に応じて自律的に選択する。選択された基地局装置及び無線信号処理装置がソフトウェアを入れ替えることで、無線通信システムは無線方式を柔軟に変更することができる。
【先行技術文献】
【非特許文献】
【０００５】
【非特許文献１】菅野  秀明、小田切  英昭、高呂  賢治、“ソフトウェア無線（Software Defined Radio）”、沖テクニカルレビュー、第204号、Vol．72 No.4，2005年10月、p.80-85．
【発明の概要】
【発明が解決しようとする課題】
【０００６】
しかしながら、複数の無線方式を時分割で切り替える方法では、通信が発生していない無線方式にも時間が割り当てられるため、基地局装置の利用効率が低下してしまうという問題があった。
【０００７】
上記事情に鑑み、本発明は、基地局装置の利用効率を向上させることができる技術の提供を目的としている。
【課題を解決するための手段】
【０００８】
本発明の一態様は、基地局装置と、前記基地局装置と通信を行う無線信号処理装置とを備える無線通信システムにおける無線通信方法であって、無線通信に必要なパラメータとして、少なくとも利用する無線方式を指定する情報を含む無線制御情報をパケットに付与する無線制御情報付与ステップと、前記パケットに付与された前記無線制御情報で指定された前記無線方式で、前記無線制御情報が取り除かれた前記パケットを送信する送信ステップと、を有する無線通信方法である。
【０００９】
本発明の一態様は、上記の無線通信方法であって、前記パラメータには、無線通信で利用することが指定された無線周波数の値と、帯域の値と、送信ゲインの値とが含まれ、前記無線周波数の値と、前記帯域の値と、前記送信ゲインの値とを前記基地局装置に設定する設定ステップをさらに有し、前記基地局装置が、前記無線方式の他に、設定された前記無線周波数、前記帯域及び前記送信ゲインで、前記無線制御情報が取り除かれた前記パケットを送信する。
【００１０】
本発明の一態様は、上記の無線通信方法であって、１台の前記無線信号処理装置が、複数の無線方式を処理可能な場合、前記無線信号処理装置は、前記無線制御情報付与ステップにおいて前記無線制御情報が付与されたパケットに基づいて、前記複数の無線方式の中から前記無線通信に利用する無線方式を選択する第１選択ステップをさらに有し、前記無線信号処理装置は、前記第１選択ステップにおいて選択した前記無線方式を用いて前記無線制御情報が付与されたパケットを処理し、処理後のパケットを前記基地局装置に送信する。
【００１１】
本発明の一態様は、上記の無線通信方法であって、１台の前記無線信号処理装置が、１つの無線方式を処理可能な場合、前記無線制御情報付与ステップにおいて前記無線制御情報が付与されたパケットに基づいて、前記無線制御情報が付与されたパケットを処理可能な無線信号処理装置を選択する第２選択ステップをさらに有し、前記第２選択ステップにおいて選択された前記無線信号処理装置に対して前記無線制御情報が付与されたパケットを送信し、前記無線信号処理装置は、利用可能な無線方式を用いて前記無線制御情報が付与されたパケットを処理し、処理後のパケットを前記基地局装置に送信する。
【００１２】
本発明の一態様は、基地局装置と、前記基地局装置と通信を行う無線信号処理装置とを備える無線通信システムであって、無線通信に必要なパラメータとして、少なくとも利用する無線方式を指定する情報を含む無線制御情報をパケットに付与する無線制御情報付与部と、前記パケットに付与された前記無線制御情報で指定された前記無線方式で、前記無線制御情報が取り除かれた前記パケットを送信する送信部と、を備える無線通信システムである。
【００１３】
本発明の一態様は、上記の無線通信システムであって、前記パラメータには、無線通信で利用することが指定された無線周波数の値と、帯域の値と、送信ゲインの値とが含まれ、前記無線周波数の値と、前記帯域の値と、前記送信ゲインの値とを前記送信部に設定する設定部をさらに備え、前記送信部は、前記無線方式の他に、設定された前記無線周波数、前記帯域及び前記送信ゲインで、前記無線制御情報が取り除かれた前記パケットを送信する。
【００１４】
本発明の一態様は、基地局装置と、前記基地局装置と通信を行う無線信号処理装置とを備える無線通信システムにおける基地局装置であって、無線通信に必要なパラメータとして、少なくとも利用する無線方式を指定する情報を含む無線制御情報が付与されたパケットを受信する受信部と、受信された前記パケットに付与された前記無線制御情報で指定された前記無線方式で、前記無線制御情報が取り除かれた前記パケットを送信する送信部と、を備える基地局装置である。
【００１５】
本発明の一態様は、上記の基地局装置であって、前記パラメータには、無線通信で利用することが指定された無線周波数の値と、帯域の値と、送信ゲインの値とが含まれ、前記無線周波数の値と、前記帯域の値と、前記送信ゲインの値とを前記送信部に設定する設定部をさらに備え、前記送信部は、前記無線方式の他に、設定された前記無線周波数、前記帯域及び前記送信ゲインで、前記無線制御情報が取り除かれた前記パケットを送信する。
【発明の効果】
【００１６】
本発明により、基地局装置の利用効率を向上させることが可能となる。
【図面の簡単な説明】
【００１７】
【図１】第１の実施形態における無線通信システムのシステム構成を表す構成図である。
【図２】制御情報付与パケットのデータ構造の一例を示す図である。
【図３】基地局装置２０の処理の流れを示すフローチャートである。
【図４】第２の実施形態における無線通信システムのシステム構成を表す構成図である。
【図５】第３の実施形態における無線通信システムのシステム構成を表す構成図である。
【図６】パラメータ取得テーブルの具体例を示す図である。
【発明を実施するための形態】
【００１８】
以下、本発明の一実施形態を、図面を参照しながら説明する。
（第１の実施形態）
図１は、第１の実施形態における無線通信システム１００のシステム構成を表す構成図である。
無線通信システム１００は、１台以上の無線信号処理装置１０及び１台以上の基地局装置２０を備える。無線信号処理装置１０と、基地局装置２０との間の通信は、無線通信でも有線通信でもよい。基地局装置２０には、無線通信システム１００に接続されるアプリケーション等を実行する外部のシステム３０が接続される。以下、基地局装置２０から無線信号処理装置１０への通信の向きを「上り」という。以下、無線信号処理装置１０から基地局装置２０への通信の向きを「下り」という。
【００１９】
無線信号処理装置１０は、外部のシステム３０から受信したパケットに対して、無線制御情報を付与して基地局装置２０に送信する。無線制御情報とは、無線通信に必要なパラメータであり、例えば、無線周波数指定子、帯域指定子、送信ゲイン指定子、無線方式指定子、無線方式固有パラメータ等である。無線周波数指定子、帯域指定子、送信ゲイン指定子、無線方式指定子、無線方式固有パラメータの各値は、例えば、無線通信サービスを提供するサービスプロバイダが要求する値である。また、無線信号処理装置１０は、１つの無線方式のソフトウェアのプログラムデータを記憶し、基地局装置２０との間でソフトウェアの入れ替えを行う。なお、各無線信号処理装置１０は、異なる無線方式のソフトウェアのプログラムデータを記憶している。
【００２０】
基地局装置２０は、複数の無線方式の通信を実行する装置である。例えば、基地局装置２０は、無線信号処理装置１０との間でソフトウェアの入れ替えを行うことによって無線方式の通信を実行する。基地局装置２０は、８０２．１１規格等の複数の無線方式を切り替えることによって、各無線方式の無線端末と通信する。基地局装置２０は、例えば、ソフトウェア無線（SDR: Software Defined Radio）に対応しているアクセスポイントである。基地局装置２０が対応する無線方式は、例えば、無線通信サービスを提供する複数のサービスプロバイダが要求する無線方式である。
【００２１】
次に、無線信号処理装置１０及び基地局装置２０の具体的な構成について説明する。
無線信号処理装置１０は、上位通信部１０１、無線制御情報付与部１０２、記憶部１０３及び下位通信部１０４を備える。
上位通信部１０１は、外部のシステム３０との間で通信を行う。例えば、上位通信部１０１は、外部のシステム３０からパケットを受信する。上位通信部１０１は、受信したパケットを無線制御情報付与部１０２に出力する。
【００２２】
無線制御情報付与部１０２は、上位通信部１０１によって受信されたパケットに、無線制御情報を付与することによって制御情報付与パケットを生成する。なお、無線制御情報付与部１０２は、パケットに格納された情報、もしくはパケットの入力元（図１では、外部のシステム３０）に応じて付与する無線制御情報を選択するように構成されてもよい。また、無線制御情報付与部１０２は、サービスプロバイダから無線周波数指定子、帯域指定子、送信ゲイン指定子、無線方式指定子、無線方式固有パラメータのいずれかの値を指定されていない場合には、指定されていない値をデフォルト値で設定する。
【００２３】
図２は、制御情報付与パケットのデータ構造の一例を示す図である。
図２に示すように、制御情報付与パケットは、ヘッダ部３０１とデータ部３０２とで構成される。ヘッダ部３０１は、送信先アドレス、送信元アドレス、無線制御情報の各値を格納するためのフィールドを有する。送信先アドレスは、制御情報付与パケットの送信先となる装置のアドレスを表す。送信元アドレスは、制御情報付与パケットの送信元となる装置のアドレスを表す。図２では、無線制御情報として、無線周波数指定子、帯域指定子、送信ゲイン指定子、無線方式指定子、無線方式固有パラメータ等の各値が含まれる。
【００２４】
無線周波数指定子は、基地局装置２０が無線通信ですることが指定された中心周波数を表す。帯域指定子は、基地局装置２０が無線通信で利用することが指定された帯域を表す。送信ゲイン指定子は、基地局装置２０が無線通信で利用することが指定された送信電力を表す。帯域無線方式指定子は、基地局装置２０が無線通信で利用する無線方式を表す。無線方式固有パラメータは、無線通信において別途指定されるパラメータであり、例えば無線区間における再送回数等である。
【００２５】
図１に戻って、説明を続ける。
記憶部１０３は、１つの無線方式のソフトウェアのプログラムデータを予め記憶する。
下位通信部１０４は、基地局装置２０との間で通信を行う。例えば、下位通信部１０４は、無線制御情報付与部１０２によって生成された制御情報付与パケットを基地局装置２０に送信する。また、下位通信部１０４は、基地局装置２０からの要求に応じて、基地局装置２０との間で無線方式のソフトウェアのプログラムデータの交換を行う。
【００２６】
具体的には、下位通信部１０４は、基地局装置２０からの要求に応じて、記憶部１０３に記憶されている無線方式のソフトウェアのプログラムデータを取得して基地局装置２０に送信する。また、下位通信部１０４は、基地局装置２０から送信された無線方式のソフトウェアのプログラムデータを受信し、受信した無線方式のソフトウェアのプログラムデータを記憶部１０３に記憶する。このように、基地局装置２０との間で無線方式のソフトウェアのプログラムデータの交換が行われる。
【００２７】
基地局装置２０は、上位通信部２０１、下り送信調整部２０２、記憶部２０３、設定部２０４、パケット変換部２０５及び無線周波数部２０６を備える。
上位通信部２０１は、無線信号処理装置１０との間で通信を行う。例えば、上位通信部２０１は、無線信号処理装置１０から制御情報付与パケットを受信する。上位通信部１０１は、無線信号処理装置１０との間で無線方式のソフトウェアのプログラムデータの交換を行う。
【００２８】
下り送信調整部２０２は、上位通信部２０１によって受信された制御情報付与パケットを保持する。下り送信調整部２０２は、ＦＩＦＯ（First-In First-Out）方式により保持している制御情報付与パケットを設定部２０４に出力する。
記憶部２０３は、１つの無線方式のソフトウェアのプログラムデータを予め記憶する。
【００２９】
設定部２０４は、制御情報付与パケットのヘッダ部３０１の無線信号制御情報に含まれる無線周波数指定子と、帯域指定子と、送信ゲイン指定子とを用いて無線周波数部２０６がアンテナ部からアナログ無線信号を送信する際の中心周波数、帯域及び送信ゲインを設定する。なお、設定部２０４は、制御情報付与パケットのヘッダ部３０１に含まれる情報のうち無線信号制御情報がどの位置に格納されているのかを示す情報を無線信号処理装置１０から別途取得してもよい。
【００３０】
また、設定部２０４は、無線方式のソフトウェアのプログラムデータを記憶部２０３から読み出し、当該無線方式による変調や復調のデジタル信号処理を、無線制御情報が取り除かれたパケットに対して行う。なお、設定部２０４は、制御情報付与パケットのヘッダ部３０１の無線信号制御情報に含まれる無線方式指定子で特定される無線方式のソフトウェアのプログラムデータが記憶部２０３に記憶されていない場合、無線方式指定子で特定される無線方式のソフトウェアのプログラムデータを、上位通信部２０１を介して無線信号処理装置１０に要求する。
【００３１】
パケット変換部２０５は、制御情報付与パケットから無線制御情報を取り除く。パケット変換部２０５は、無線制御情報が取り除かれたパケットを無線周波数部２０６に出力する。
無線周波数部２０６は、設定部２０４によって設定された中心周波数、帯域及び送信ゲインに基づいて、無線制御情報が取り除かれたパケットをアナログ無線信号としてアンテナを介して送信する。
【００３２】
図３は、基地局装置２０の処理の流れを示すフローチャートである。なお、図３は、基地局装置２０が無線信号処理装置１０から受信したパケットを、アンテナを介して送信先に送信する際に実行される。
設定部２０４は、下り送信調整部２０２に保存されている先頭の制御情報付与パケットを取得する（ステップＳ１０１）。なお、設定部２０４は、先頭の制御情報付与パケットと同じ分類の複数の制御情報付与パケットを取り出し、取り出した複数の制御情報付与パケットのヘッダ部３０１それぞれから無線制御情報を読み出してもよい。設定部２０４は、取得した制御情報付与パケットのヘッダ部３０１から無線制御情報を取得する（ステップＳ１０２）。
【００３３】
設定部２０４は、無線制御情報に含まれる無線周波数指定子と、帯域指定子と、送信ゲイン指定子とを用いて無線周波数部２０６がアンテナ部からアナログ無線信号を送信する際の中心周波数、帯域及び送信ゲインを設定する（ステップＳ１０３）。パケット変換部２０５は、制御情報付与パケットから無線制御情報を取り除く。無線周波数部２０６は、設定部２０４によって設定された中心周波数、帯域及び送信ゲインに基づいて、無線制御情報が取り除かれたパケットをアナログ無線信号としてアンテナを介して送信する（ステップＳ１０４）。
【００３４】
以上のように構成された無線通信システム１００によれば、基地局装置２０は、無線通信に利用する無線方式が指定された無線制御情報が付与された制御情報付与パケットの受信に応じて利用する無線方式を選択する。このように、基地局装置に到着するパケットに応じて無線方式が選択されるため、通信の不要な無線方式が時間を占有してしまうことがない。そのため、基地局装置の利用効率を向上させることが可能になる。
また、外部のアプリケーションの通信形態や要件に応じて、適切な無線方式を選択する手段を提供することで、無線通信の効率を改善することができる。
【００３５】
＜変形例＞
また、本発明によれば、パケットに記載された情報、もしくはパケットの入力元に応じて付与する無線制御情報を選択する選択エンジンを備えることにより、
外部のアプリケーションの通信形態や要件に応じて、適切な無線方式を選択する手段を提供することで、無線通信の効率を改善する効果を奏する。
【００３６】
（第２の実施形態）
第２の実施形態では、無線制御情報付与部が無線信号処理装置と別体で備えられ、１台の無線信号処理装置が複数の無線方式を処理して、基地局装置の設定を行う点が第１の実施形態と異なる。第２の実施形態では、第１の実施形態との相違点を説明する。
【００３７】
図４は、第２の実施形態における無線通信システム１００ａのシステム構成を表す構成図である。
無線通信システム１００ａは、１台以上の無線信号処理装置１０ａ、１台以上の基地局装置２０ａ及び無線制御情報付与部４０を備える。無線信号処理装置１０ａと、基地局装置２０ａとの間及び無線信号処理装置１０ａと、無線制御情報付与部４０との間の通信は、無線通信でも有線通信でもよい。無線制御情報付与部４０には、無線通信システム１００ａに接続されるアプリケーション等を実行する外部のシステム３０が接続される。
【００３８】
無線制御情報付与部４０は、外部のシステム３０から送信されたパケットを受信し、受信したパケットに、無線制御情報を付与することによって制御情報付与パケットを生成する。なお、無線制御情報付与部４０は、パケットに格納された情報、もしくはパケットの入力元に応じて付与する無線制御情報を選択するように構成されてもよい。
【００３９】
無線信号処理装置１０ａは、無線制御情報付与部４０から受信した制御情報付与パケットに含まれる無線方式指定子と無線方式固有パラメータとを用いて、複数の無線方式の中から１つの無線方式を選択して、選択した無線方式に応じて処理を行い、無線制御情報が取り除かれたパケットを基地局装置２０ａに送信する。また、無線信号処理装置１０ａは、複数の無線方式のソフトウェアのプログラムデータを記憶し、基地局装置２０ａとの間でソフトウェアの入れ替えを行う。
【００４０】
基地局装置２０ａは、複数の無線方式の通信を実行する装置である。基地局装置２０ａは、無線信号処理装置１０ａから送信されたパケットを受信し、受信したパケットを送信先に送信する。
【００４１】
次に、無線信号処理装置１０ａ及び基地局装置２０ａの具体的な構成について説明する。
無線信号処理装置１０ａは、上位通信部１０１、記憶部１０３ａ、下位通信部１０４ａ、下り送信調整部１０５、設定部１０６及びパケット変換部１０７を備える。
記憶部１０３ａは、複数の無線方式のソフトウェアのプログラムデータを予め記憶する。
下り送信調整部１０５は、上位通信部１０１によって受信された制御情報付与パケットを保持する。下り送信調整部１０５は、ＦＩＦＯ方式により保持している制御情報付与パケットを設定部１０６に出力する。
【００４２】
設定部１０６は、制御情報付与パケットのヘッダ部３０１の無線信号制御情報に含まれる無線周波数指定子と、帯域指定子と、送信ゲイン指定子とを用いて無線周波数部２０６がアンテナ部からアナログ無線信号を送信する際の中心周波数、帯域及び送信ゲインを基地局装置２０に設定する。なお、設定部１０６は、制御情報付与パケットのヘッダ部３０１に含まれる情報のうち無線信号制御情報がどの位置に格納されているのかを示す情報を無線制御情報付与部４０から別途取得してもよい。
【００４３】
また、設定部１０６は、制御情報付与パケットのヘッダ部３０１の無線信号制御情報に含まれる無線方式指定子と無線方式固有パラメータとを用いて、複数の無線方式の１つの無線方式の中から１つの無線方式を選択し、選択した無線方式のソフトウェアのプログラムデータを記憶部１０３ａから読み出し、当該無線方式による変調や復調のデジタル信号処理を、無線制御情報が取り除かれたパケットに対して行う。
【００４４】
パケット変換部１０７は、制御情報付与パケットから無線制御情報を取り除く。パケット変換部１０７は、無線制御情報が取り除かれたパケットを下位通信部１０４ａに出力する。
【００４５】
下位通信部１０４ａは、基地局装置２０ａとの間で通信を行う。例えば、下位通信部１０４ａは、パケット変換部１０７によって無線制御情報が取り除かれたパケットを基地局装置２０ａに送信する。また、下位通信部１０４ａは、基地局装置２０ａからの要求に応じて、基地局装置２０ａとの間で無線方式のソフトウェアのプログラムデータの交換を行う。
【００４６】
基地局装置２０ａは、上位通信部２０１、記憶部２０３及び無線周波数部２０６ａを備える。
無線周波数部２０６ａは、無線信号処理装置１０ａの設定部１０６によって設定された中心周波数、帯域及び送信ゲインに基づいて、無線制御情報が取り除かれたパケットをアナログ無線信号としてアンテナを介して送信する。
【００４７】
以上のように構成された無線通信システム１００ａによれば、第１の実施形態と同様の効果を得ることができる。
【００４８】
（第３の実施形態）
第３の実施形態では、無線制御情報付与部が無線信号処理装置と別体で備えられ、無線制御情報付与部から得られた制御情報付与パケットに含まれる無線制御情報に基づいて無線方式を選択し、選択した無線方式を処理可能な無線信号処理装置にパケットを送信する点が第１の実施形態及び第２の実施形態と異なる。第３の実施形態では、第１の実施形態及び第２の実施形態との相違点を説明する。
【００４９】
図５は、第３の実施形態における無線通信システム１００ｂのシステム構成を表す構成図である。
無線通信システム１００ｂは、２台以上の無線信号処理装置１０ｂ、１台以上の基地局装置２０ｂ、無線制御情報付与部４０及び選択部５０を備える。無線信号処理装置１０ｂと、基地局装置２０ｂとの間及び無線信号処理装置１０ｂと、選択部５０との間及び選択部５０と、無線制御情報付与部４０との間の通信は、無線通信でも有線通信でもよい。無線制御情報付与部４０には、無線通信システム１００ｂに接続されるアプリケーション等を実行する外部のシステム３０が接続される。
【００５０】
選択部５０は、無線制御情報付与部４０から受信する制御情報付与パケットに含まれる無線制御情報に基づいて、複数の無線信号処理装置１０ｂの中から、制御情報付与パケットを処理する無線信号処理装置１０ｂを選択する。具体的には、選択部５０は、無線制御情報の無線方式指定子で示される無線方式を処理することができる無線信号処理装置１０ｂを選択する。
【００５１】
選択部５０は、無線信号処理装置１０ｂと、無線信号処理装置１０ｂが処理することができる無線方式とが対応付けられたテーブルを予め記憶し、無線信号処理装置１０ｂを選択してもよいし、全ての無線信号処理装置１０ｂに対して利用可能な無線方式を問い合わせて、無線方式を処理することができる無線信号処理装置１０ｂを選択してもよい。選択部５０は、選択した無線信号処理装置１０ｂに対して制御情報付与パケットを送信する。なお、選択部５０は、無線制御情報の無線方式指定子で示される無線方式を処理することができる無線信号処理装置１０ｂが複数台ある場合には、ランダムに無線信号処理装置１０ｂを選択してもよいし、自装置との距離が最も近い無線信号処理装置１０ｂを選択してもよいし、応答が早かった無線信号処理装置１０ｂを選択してもよい。
【００５２】
無線信号処理装置１０ｂは、選択部５０から受信した制御情報付与パケットに対して、指定されている無線方式の処理を行い、無線制御情報が取り除かれたパケットを基地局装置２０ａに送信する。また、無線信号処理装置１０ｂは、１つの無線方式のソフトウェアのプログラムデータを記憶し、基地局装置２０ｂとの間でソフトウェアの入れ替えを行う。
【００５３】
次に、無線信号処理装置１０ｂの具体的な構成について説明する。
無線信号処理装置１０ｂは、上位通信部１０１、記憶部１０３ｂ、下位通信部１０４ｂ、下り送信調整部１０５、パケット変換部１０７及び設定部１０６ｂを備える。
記憶部１０３ｂは、複数の無線方式のソフトウェアのプログラムデータを予め記憶する。
下位通信部１０４ｂは、基地局装置２０ａとの間で通信を行う。例えば、下位通信部１０４ｂは、パケット変換部１０７によって無線制御情報が取り除かれたパケットを基地局装置２０ａに送信する。また、下位通信部１０４ｂは、基地局装置２０ａからの要求に応じて、基地局装置２０ａとの間で無線方式のソフトウェアのプログラムデータの交換を行う。
【００５４】
設定部１０６ｂは、制御情報付与パケットのヘッダ部３０１の無線信号制御情報に含まれる無線周波数指定子と、帯域指定子と、送信ゲイン指定子とを用いて無線周波数部２０６ａがアンテナ部からアナログ無線信号を送信する際の中心周波数、帯域及び送信ゲインを基地局装置２０ａに設定する。なお、設定部１０６ｂは、制御情報付与パケットのヘッダ部３０１に含まれる情報のうち無線信号制御情報がどの位置に格納されているのかを示す情報を無線制御情報付与部４０から別途取得してもよい。
【００５５】
また、設定部１０６ｂは、無線方式のソフトウェアのプログラムデータを記憶部１０３ａから読み出し、当該無線方式による変調や復調のデジタル信号処理を、無線制御情報が取り除かれたパケットに対して行う。
【００５６】
以上のように構成された無線通信システム１００ｂによれば、第１の実施形態と同様の効果を得ることができる。
また、選択部５０により、複数台の無線信号処理装置１０ｂのうち、制御情報付与パケットを処理可能な無線信号処理装置１０ｂが選択される。これにより、処理ができないことによる制御情報付与パケットのロスを軽減することができる。
【００５７】
（第１の実施形態から第３の実施形態に共通の変形例）
上記の第１の実施形態から第３の実施形態では、制御情報付与パケットのヘッダ部３０１には、無線制御情報として、無線周波数指定子、帯域指定子、送信ゲイン指定子、無線方式指定子及び無線方式固有パラメータの値が格納されていた。そのため、設定部２０４及び設定部１０６が、制御情報付与パケットに含まれる無線制御情報から無線周波数指定子、帯域指定子及び送信ゲイン指定子を取得して無線周波数部２０６及び無線周波数部２０６ａに設定する構成を示したが、設定部２０４及び設定部１０６は以下のように無線周波数指定子、帯域指定子及び送信ゲイン指定子を取得するように構成されてもよい。具体的には、まず無線制御情報付与部１０２及び無線制御情報付与部４０は、パケットに、無線制御情報として無線方式指定子及び無線方式固有パラメータを付与することによって制御情報付与パケットを生成する。
【００５８】
設定部２０４及び設定部１０６は、図６に示すパラメータ取得テーブルを保持し、受信された制御情報付与パケットに含まれる無線方式指定子と、パラメータ取得テーブルとを用いて帯域指定子、送信ゲイン指定子及び無線方式指定子を取得する。
図６は、パラメータ取得テーブルの具体例を示す図である。図６に示すように、パラメータ取得テーブルには、無線方式指定子毎に、帯域指定子、送信ゲイン指定子及び無線方式指定子の値が対応付けられている。
【００５９】
以上、この発明の実施形態について図面を参照して詳述してきたが、具体的な構成はこの実施形態に限られるものではなく、この発明の要旨を逸脱しない範囲の設計等も含まれる。
【符号の説明】
【００６０】
１０、１０ａ、１０ｂ…無線信号処理装置，  ２０、２０ａ…基地局装置，  ３０…外部のシステム，  ４０…無線制御情報付与部，  ５０…選択部，  １０１…上位通信部，  １０２…無線制御情報付与部，  １０３、１０３ａ、１０３ｂ…記憶部，  １０４、１０４ａ、１０４ｂ…下位通信部，  １０５…下り送信調整部，  １０６…設定部，  １０７…パケット変換部，  ２０１…上位通信部，  ２０２…下り送信調整部，  ２０３…記憶部，  ２０４…設定部，  ２０５…パケット変換部，  ２０６、２０６ａ…無線周波数部
【図１】
2019186865.tif 000003
【図２】
2019186865.tif 000004
【図３】
2019186865.tif 000005
【図４】
2019186865.tif 000006
【図５】
2019186865.tif 000007
【図６】
2019186865.tif 000008